(57)【要約】【課題】  室外側挟持板の枠板部に外力が加わっても室外側挟持板の変形を防ぐことができるガス栓取付装置を提供する。【解決手段】  ガス栓取付装置１は、室内側挟持板３と、室外側挟持板４と、ボルトＢとを備える。挟持板３は室内側枠板部３１を有する。挟持板４は、室外側枠板部４１と、枠板部４１の第１側縁４１ａに枠板部４１と直角をなして連なり柱Ｐに固定される固定板部４５とを有する。壁板Ｗの貫通孔Ｈを通るボルトＢが挟持板３と挟持板４を連結して、枠板部３１と枠板部４１が壁板Ｗを挟持する。挟持板４の補強板部４６は、枠板部４における第１側縁４１ａと直交する第２側縁４１ｂに、枠板部４と直角をなして連なるとともに、固定板部４５に対して直角をなしており、補強板部４６の端縁が固定板部４５における枠板部４１側の面と対向しており、枠板部４１に固定板部４５に向かう外力が働くとき、補強板部４６の端縁が固定板部４５に当たる。【選択図】  図１
2018059593.tif 000002
【特許請求の範囲】
【請求項１】
取付対象にガス栓を取り付ける装置であって、上記取付対象が、室内に臨む板材と、この板材の室外側の面に沿って配置される支持部材とを有し、上記支持部材の近傍において上記板材に貫通孔が形成されており、
上記板材の室内側に配置される室内側挟持板と、上記板材の室外側に配置される室外側挟持板と、連結手段とを備え、
上記室内側挟持板は上記貫通孔を囲む室内側枠板部を有し、
上記室外側挟持板は、上記貫通孔を囲む室外側枠板部と、この室外側枠板部の第１側縁にこの室外側枠板部と直角をなして連なり上記支持部材に固定される固定板部と、上記ガス栓を仮固定または本固定する固定部とを有し、
上記連結手段が上記貫通孔を通って上記室内側挟持板と上記室外側挟持板を連結することにより、上記室内側枠板部と上記室外側枠板部が上記板材を挟持するガス栓取付装置において、
上記室外側挟持板はさらに補強板部を有し、この補強板部は、上記室外側枠板部における上記第１側縁と直交する第２側縁に、この室外側枠板部と直角をなして連なるとともに、上記固定板部に対して直角をなしており、
上記補強板部の端縁が上記固定板部における上記室外側枠板部側の面と対向しており、上記室外側枠板部に上記固定板部に向かう外力が働くとき、上記補強板部の端縁が上記固定板部に当たることを特徴とするガス栓取付装置。
【請求項２】
上記室外側枠板部は上記第１側縁を一対有し、これら第１側縁に連なる一対の上記固定板部は互いに平行をなし、これら一対の固定板部の間に上記補強板部が配置されていることを特徴とする請求項１に記載のガス栓取付装置。
【請求項３】
上記固定板部および上記補強板部は、上記第１側縁、第２側縁に沿って間隔をおいて配置された複数の架橋部をそれぞれ有し、これら架橋部を介して上記室外側枠板部に連なっていることを特徴とする請求項１に記載のガス栓取付装置。
【請求項４】
上記固定板部および上記補強板部は、上記第１、第２側縁又はその近傍に達する肉抜き穴をそれぞれ有し、上記複数の架橋部は上記肉抜き穴を介して離間していることを特徴とする請求項３に記載のガス栓取付装置。
【請求項５】
上記室内側挟持板は上記ガス栓を固定する本固定部を有し、上記室外側挟持板は、上記固定部として上記ガス栓を一時的に仮固定する仮固定部を有することを特徴とする請求項１〜４のいずれかに記載のガス栓取付装置。
【発明の詳細な説明】
【技術分野】
【０００１】
本発明は、壁等の取付対象に設置される埋込タイプのガスコンセント装置において、ガス栓を取付対象に取り付けるための装置に関する。
【背景技術】
【０００２】
下記特許文献１には、壁（取付対象）に設置される埋込タイプのガスコンセント装置が開示されている。壁は、室内に臨む壁板（板材）と、この壁板の室外側の面に沿って配置される柱（支持部材）とを有している。壁板には、柱の近傍において貫通孔が形成されている。
【０００３】
ガスコンセント装置は、壁板の貫通孔に臨むガス栓と、このガス栓を壁に取り付ける取付装置を備えている。このガス栓取付装置は、壁板の室内側に配置される室内側挟持板と、壁板の室外側に配置される室外側挟持板と、連結手段とを備えている。室内側挟持板は貫通孔を囲む枠板部を有する。室外側挟持板は、貫通孔を囲む枠板部と、この枠板部の側縁にこの枠板部と直角をなして連なり柱に固定される固定板部と、ガス栓を固定する固定部とを有する。連結手段が貫通孔を通って室内側挟持板と室外側挟持板とを連結することにより、これら室内側挟持板と室外側挟持板が壁板を挟持する。
【０００４】
特許文献１の取付装置を用いて、２通りのガス栓の取り付け方法を選択できるようになっている。
第１の方法は、壁板の施工前にガス栓の取り付け作業を始める方法である。この方法では最初に、室外側挟持板の固定板部を柱の一側面に固定する。この状態でガス栓を室外側挟持板の固定部に固定する。次に、壁板を柱の室内側の面に固定する。壁板には室外側挟持板の枠板部に対向する箇所に貫通孔が形成されている。次に、この貫通孔を囲むように室内側挟持板の枠板部を配置し、この貫通孔を通る連結手段により室内側挟持板と室外側挟持板とを連結する。これにより、室内側および室外側挟持板の各枠板部が壁板を挟持する。最後に、室内側挟持板をガス栓に固定する。
【０００５】
第２の方法は、壁板の施工後にガス栓の取り付け作業を行う方法である。この方法では、既に壁板が柱に固定されており、壁板には貫通孔が形成されている。室外側挟持板は柱に固定されない。室外側挟持板の固定板部は作業の邪魔になるので予め枠板部から分離して除いておく。室外側挟持板と室内側挟持板を壁板の室外側、室内側にそれぞれ配置した状態で、上記第１の方法と同様にして連結手段を締め付けることにより、室内側挟持板と室外側挟持板に壁板を挟持させる。最後にガス栓を貫通孔に挿通させ、室外側挟持板と室内側挟持板に固定する。
【先行技術文献】
【特許文献】
【０００６】
【特許文献１】特開２０１１−７２３０号公報
【発明の概要】
【発明が解決しようとする課題】
【０００７】
特許文献１のガス栓取付装置では、壁板の施工前にガス栓の取り付け作業を始める場合において、柱に室外側挟持板の固定板部が固定された後、壁板を施工する際、壁板が室外側挟持板の枠板部に当たって室外側挟持板が変形し、枠板部が固定板部に対して直角の姿勢を確保できなくなり、その後のガス栓取付作業に支障が出ることがあった。
【課題を解決するための手段】
【０００８】
上記課題を解決するために、本発明は、取付対象にガス栓を取り付ける装置であって、上記取付対象が、室内に臨む板材と、この板材の室外側の面に沿って配置される支持部材とを有し、上記支持部材の近傍において上記板材に貫通孔が形成されており、上記ガス栓取付装置は、上記板材の室内側に配置される室内側挟持板と、上記板材の室外側に配置される室外側挟持板と、連結手段とを備える。上記室内側挟持板は上記貫通孔を囲む室内側枠板部を有する。上記室外側挟持板は、上記貫通孔を囲む室外側枠板部と、この室外側枠板部の第１側縁にこの室外側枠板部と直角をなして連なり上記支持部材に固定される固定板部と、上記ガス栓を仮固定または本固定する固定部とを有する。上記連結手段が上記貫通孔を通って上記室内側挟持板と上記室外側挟持板を連結することにより、上記室内側枠板部と上記室外側枠板部が上記板材を挟持する。上記室外側挟持板はさらに補強板部を有し、この補強板部は、上記室外側枠板部における上記第１側縁と直交する第２側縁に、この室外側枠板部と直角をなして連なるとともに、上記固定板部に対して直角をなしており、上記補強板部の端縁が上記固定板部における上記室外側枠板部側の面と対向しており、上記室外側枠板部に上記固定板部に向かう外力が働くとき、上記補強板部の端縁が上記固定板部に当たることを特徴とする。
【０００９】
上記構成によれば、室外側挟持板の室外側枠板部に固定板部方向の外力が加わっても、補強板部が固定板部に当たることにより外力を受け止めるので、室外側挟持板の変形を防ぐことができる。そのため、室外側枠板部は固定板部に対して直角の姿勢を確保でき、その後のガス栓取付作業を確実に実行することができる。
【００１０】
好ましくは、上記室外側枠板部は上記第１側縁を一対有し、これら第１側縁に連なる一対の上記固定板部は互いに平行をなし、これら一対の固定板部の間に上記補強板部が配置されている。
上記構成によれば、一対の固定板部のいずれかを選択して支持部材に固定できるため、支持部材に対するガス栓の設置位置の自由度を高めることができる。
【００１１】
好ましくは、上記固定板部および上記補強板部は、上記第１側縁、第２側縁に沿って間隔をおいて配置された複数の架橋部をそれぞれ有し、これら架橋部を介して上記室外側枠板部に連なっている。
上記構成によれば、固定板部と補強板部を室外側枠板部に対して折り曲げて架橋部を破断することにより、これら固定板部と補強板部を室外側挟持板から除去することができるので、壁板の施工後にガス栓を取り付ける場合において、固定板部と補強板部がガス栓取付作業の邪魔にならない。
【００１２】
好ましくは、上記固定板部および上記補強板部は、上記第１、第２側縁又はその近傍に達する肉抜き穴をそれぞれ有し、上記複数の架橋部は上記肉抜き穴を介して離間している。
上記構成によれば、室外側挟持板を軽量化することができる。
【００１３】
好ましくは、上記室内側挟持板は上記ガス栓を固定する本固定部を有し、上記室外側挟持板は、上記固定部として上記ガス栓を一時的に仮固定する仮固定部を有する。
【発明の効果】
【００１４】
本発明によれば、室外側挟持板の室外側枠板部に外力が加わっても室外側挟持板の変形を防ぐことができ、ガス栓取付作業を確実に実行することができる。
【図面の簡単な説明】
【００１５】
【図１】本発明に係るガス栓取付装置の分解斜視図である。
【図２】同ガス栓取付装置に用いられる室外側挟持板を室外側から見た斜視図である。
【図３】同室外側挟持板の背面図である。
【図４】（Ａ）図３のＡ方向から見た室外側挟持板の側面図であり、内部構造を省略して示す。（Ｂ）図３のＢ方向から見た室外側挟持板の底面図であり、内部構造を省略して示す。
【図５】同室外側挟持板の下部の要部拡大断面図である。
【図６】同ガス栓取付装置に用いられる室内側挟持板の正面図である。
【図７】壁板の施工前にガス栓の取り付け作業を始める第１方法での取り付け手順を示す図であって、室外側挟持板の固定板部が柱に固定された状態を示している。
【図８】同第１方法での取り付け手順を示す図であって、室外側挟持板の固定部にガス栓が仮固定された状態を示している。
【図９】同第１方法での取り付け手順を示す図であって、壁板が施工され、室内側挟持板が取り付けられる状態を示している。
【図１０】同第１方法での取り付け手順を示す図であって、室内側挟持板と室外側挟持板がボルトにより連結されて壁板を挟持するとともに、ガス栓が室内側挟持板に本固定された状態を示している。
【図１１】（Ａ）図８においてガス栓が室外側挟持板に仮固定された状態を正面から見た図である。（Ｂ）図１０においてガス栓が室内側挟持板に本固定された状態を正面から見た図である。
【図１２】室外側挟持板から固定板部、補強板部および仮固定部が取り除かれた状態を室内側から見た斜視図である。
【図１３】壁板の施工後にガス栓の取り付け作業を行う第２方法の説明図である。
【発明を実施するための形態】
【００１６】
以下、本発明の一実施形態を、図１〜図１３を参照して説明する。この実施形態は、本発明を、埋込タイプのガスコンセント装置に用いられるガス栓取付装置に適用したものである。
【００１７】
ガスコンセント装置Ｃは、壁（取付対象）に埋め込み状態で設置されるものであり、図１に示すように、ガス栓Ｇ、ガス栓取付装置１および化粧板２を備えている。
図７〜図９に示すように、壁は、室内に臨む壁板Ｗ（板材）と、この壁板Ｗの室外側の面に沿って配置される柱Ｐ（支持部材）および桟Ｓとを有している。本実施形態では、柱Ｐの近傍において壁板Ｗに貫通孔Ｈが形成され、この貫通孔Ｈ内にガス栓Ｇが収容されている。
【００１８】
ガス栓Ｇは、迅速継手タイプのガス栓であり、プラグ部Ｇｐにソケット（図示せず）が接続されると、自動的に閉状態から開状態に切り替わって内部をガスが流れ、ソケットがプラグ部Ｇｐから外されると、自動的に開状態から閉状態に切り替わる。ガス栓Ｇは、プラグ部Ｇｐの上側および下側に、ネジ孔が形成された凸部Ｇａを有している。
【００１９】
ガス栓取付装置１は、壁板Ｗの室内側に配置される室内側挟持板３と、壁板Ｗの室外側に配置される室外側挟持板４と、壁板Ｗの貫通孔Ｈを通って室内側挟持板３と室外側挟持板４とを連結するボルトＢ（連結手段）とを有する。
【００２０】
室内側挟持板３は、金属製の板材からなるものであり、図１、図６に示すように矩形の枠板部３１（室内側枠板部）を有している。枠板部３１の外形寸法は、壁板Ｗの貫通孔Ｈの内形寸法より一回り大きく形成されており、枠板部３１の内形寸法は、貫通孔Ｈの内形寸法より若干小さく形成されている。枠板部３１は貫通孔Ｈを囲むように配置され壁板Ｗの室内側の面に接している。
【００２１】
室内側挟持板３の枠板部３１には、第１、第２固定部３２，３３（本固定部）が設けられている。これら固定部３２，３３は、枠板部３１の内周縁から枠板部３１と直角をなして室外側に延びる脚部３２ａ，３３ａと、これら脚部３２ａ，３３ａに室内外方向に位置調節可能に固定されたＬ字状をなす固定片３２ｂ，３３ｂを有している。これら固定片３２ｂ，３３ｂの垂直片部を通るネジ３５を、ガス栓Ｇの凸部Ｇａのネジ孔に螺合させることによりガス栓Ｇが本固定されるようになっている。
【００２２】
室内側挟持板３には、化粧板２が着脱可能に装着され、室外側挟持板４を室内から目視することができないようになっている。化粧板２には、ガス栓Ｇのプラグ部Ｇｐと対向する位置に窓孔２１が形成され、窓孔２１には板状をなす蓋体２２が設けられている。
【００２３】
室外側挟持板４は、室内側挟持板３と同様に、金属製の板材からなるものであり、図１〜図３に示すように、矩形の枠板部４１（室外側枠板部）を有している。枠板部４１の外形寸法は、貫通孔Ｈの内形寸法より一回り大きく形成されており、枠板部４１の内形寸法は貫通孔Ｈの内形寸法とほぼ同一か若干大きく形成されている。枠板部４１は、貫通孔Ｈを囲むように配置され、壁板Ｗの室外側の面に接している。
【００２４】
室外側挟持板４の枠板部４１の内周縁の四隅部の近傍には、連結片４２がそれぞれ設けられ、内側に突出している。各連結片４２にはねじ孔が形成されている。室内側挟持板３の枠板部３１の四隅部の挿通孔や切欠きに挿通されたボルトＢ（連結手段）は、貫通孔Ｈを貫通して、連結片４２のねじ孔に螺合されている。ボルトＢを締め付けると、室内側挟持板３および室外側挟持板４が互いに接近して壁板Ｗを挟持する。これにより、室内側挟持板３および室外側挟持板４が壁板Ｗに固定されている。
【００２５】
室外側挟持板４の枠板部４１の内周縁の下部には、細長い仮固定部４４（固定部）が形成されている。この仮固定部４４は枠板部４１から室外側に向かって突出し、途中で上方に折れ曲がっており、その上端部がＵ字形をなしている。この仮固定部４４の上端部にガス栓Ｇが一次的に固定（仮固定）されるようになっている。
【００２６】
図２、図４（Ａ）に示すように、室外側挟持板４の枠板部４１の左右方向の両側縁４１ａ（第１側縁）には、室外側に向かって突出する固定板部４５，４５が形成されている。各固定板部４５は、枠板部４１と直角をなして連なっている。各固定板部４５には、室内外方向に延びる長孔４５ａが上下に２つ形成されている。各長孔４５ａは、枠板部４１の側縁４１ａ近傍に幅広部４５ｂを有している。図７に示すように、左右いずれか一方の固定板部４５の長孔４５ａ，４５ａにネジ４９をそれぞれ挿通させ、各ネジ４９を柱Ｐにねじ込むことにより、室外側挟持板４を柱Ｐに固定することができる。
【００２７】
各固定板部４５における上下の長孔４５ａ，４５ａの間には肉抜き穴４５ｃが形成されている。各固定板部４５の下部には、側縁４１ａに沿って切欠き部４５ｄが形成されている。
【００２８】
固定板部４５には、枠板部４１の側縁４１ａに沿って、４つ（複数）の架橋部４５ｅが設けられ、これら架橋部４５ａは、切欠き部４５ｄ、長孔４５ａの幅広部４５ｂ、肉抜き穴４５ｃによって間隔をあけられ、幅狭に形成されている。架橋部４５ｅの破断により、各固定板部４５は枠板部４１から分離することができる。
【００２９】
図２に示すように、室外側挟持板４の枠板部４１の下側の側縁４１ｂ（第２側縁）には、室外側に向かって突出する補強板部４６が形成されている。補強板部４６は、枠板部４１と直角をなして連なっている。側縁４１ｂが側縁４１ａと直角をなしているため、補強板部４６は固定板部４５，４５に対して直角をなしている。
【００３０】
図３、図５に示すように、補強板部４６は、固定板部４５，４５の間に配置されており、補強板部４６の左右の端縁４６ｘは固定板部４５，４５における枠板部４１側の面と対向し、この面に当接するか僅かに離間している。したがって、枠板部４１が固定板部４５側に折れようとすると、補強板部４６の端縁４６ｘが固定板部４５に当たることになる。
【００３１】
図２、図４（Ｂ）に示すように、補強板部４６には、室内外方向（前後方向）に延びる長孔４６ａが左右に２つ形成されている。各長孔４６ａは、枠板部４１の側縁４１ｂ近傍に幅広部４６ｂを有している。補強板部４６における左右の長孔４６ａ，４６ａの間には肉抜き穴４６ｃが形成されている。
【００３２】
補強板部４６の左右両端部には、枠板部４１の側縁４１ｂに沿って延びる切欠き部４６ｄ，４６ｄが形成されている。補強板部４６には、枠板部４１の側縁４１ｂに沿って、４つ（複数）の架橋部４６ｅが設けられている。架橋部４６ｅは、切欠き部４６ｄ、長孔４６ａの幅広部４６ｂ、肉抜き穴４６ｃによって間隔をあけられ、幅狭に形成されている。架橋部４６ｅの破断により、補強板部４６は枠板部４１から分離することができる。
【００３３】
上記構成をなすガス栓取付装置１を用いた取付対象へのガス栓Ｇの取り付けについて説明する。
先ず、壁板Ｗの施工前にガス栓Ｇの取り付け作業を始める第１方法について図７〜図１１を参照して説明する。
図７に示すように、柱Ｐの側面に、室外側挟持板４の一方の固定板部４５をネジ４９で固定する。このとき、固定板部４５の位置を長孔４５ａの長さの範囲内おいて適宜調整することにより、枠板部４１の室内側を向く面と柱Ｐの室内側を向く面とがほぼ同一平面上に位置するようにする。
【００３４】
室外側挟持板４の枠板部４１の左右方向の両側縁４１ａに固定板部４５が形成されているので、ガスコンセント装置Ｃの設置箇所が柱Ｐの左右いずれであっても、室外側挟持板４の固定板部４５を柱Ｐに固定することができる。
【００３５】
次に、図８、図１１（Ａ）に示すように、ガス栓Ｇにフレキ管Ｆ（フレキシブル管）を接続し、ガス栓Ｇを仮固定部４４の上端部４４ａに仮固定する。図１に示すようにガス栓Ｇには、プラグ部Ｇｐの上側および下側に、ネジ孔が形成された凸部Ｇａ（上部のみ図示する）がそれぞれ設けられており、仮固定部４４の上端部４４ａを通ったネジ３５が下側の凸部Ｇａのネジ孔に螺合される。
【００３６】
次に、図９に示すように壁板Ｗを施工する。具体的には、壁板Ｗを柱Ｐおよび桟Ｓの室内側の面に固定する。
壁板Ｗの施工前にガス栓Ｇの保護のために、室外側挟持板４の板枠部４１の内周縁に対応した大きさの保護ボックス（図示せず）によりガス栓Ｇを覆ってもよい。壁板Ｗに枠板部４１に対応した大きさの貫通孔Ｈを形成して、壁板Ｗを柱Ｐおよび桟Ｓに固定する。この壁板Ｗの固定状態で、室外側挟持板４の板枠部４１は壁板Ｗの室外側の面に沿い、この室外側の面にほぼ接するようにして配置される。
【００３７】
上記壁板Ｗの施工時に、壁板Ｗが室外側挟持板４の枠板部４１に当たるか上記保護ボックスに当たる場合がある。この場合、枠板部４１には固定板部４５方向の外力が作用するが、補強板部４６の端縁４６ｘが固定板部４５に当たることにより外力を受け止めるので、室外側挟持板４の変形を防ぐことができる。そのため、枠板部４１は固定板部４５と直角をなす姿勢を維持され、施工された壁板Ｗの室外側の面に沿うことができる。
【００３８】
次に、室内側挟持板３を壁板Ｗに取り付ける。
壁板Ｗの貫通孔Ｈを囲むように室内側挟持板３の枠板部３１を配置し、図１０に示すように、室内側挟持板３を挿通するボルトＢを、室外側挟持板４の連結片４２のネジ孔に螺合させる。ボルトＢを締め付けると、室内側挟持板３および室外側挟持板４が連結され、壁板Ｗを挟持する。
【００３９】
次に、ガス栓Ｇを本固定する。すなわち、仮固定された室外側挟持板４の仮固定部４４からガス栓Ｇを取外し、図１１（Ｂ）に示すように横移動させ、室内側挟持板３の固定部３２，３３を通るネジ３５，３５をガス栓Ｇの凸部Ｇａ，Ｇａのネジ孔に螺合する。
最後に室内側挟持板３に化粧板２を取り付ける。
【００４０】
次に、壁板Ｗの施工後にガス栓の取り付け作業を行う第２方法について、図１２、図１３を参照して説明する。
この方法では、室外側挟持板４が柱Ｐ等の支持部材に固定されないため、固定板部４５は不要であり、壁板Ｗの取り付けの際、壁板Ｗにより室外側挟持板４の枠板部４１に外力が加わらないため、補強板部４６が不要であり、ガス栓Ｇが室外側挟持板４の仮固定部４４に仮固定されないため、仮固定部４４も不要である。そのため、図１２に示すように、固定板部４５，４５、補強板部４６および仮固定部４４を予め取り除く。固定板部４５，４５と補強板部４６は、幅の狭い架橋部４５ｅ，４６ｅを介して枠板部４１と連なっているので、繰り返し折り曲げて架橋部４５ｅ，４６ｅを破断することにより、簡単に枠板部４１から分離できる。仮固定部４４も細長く幅が狭いので、繰り返し折り曲げることにより根元部から破断できる。
【００４１】
施工後の壁板Ｗに貫通孔Ｈを形成した後、図１３に示すように、貫通孔Ｈから予め配管されたフレキ管Ｆを室内に引き出し、その先端を枠板部４１のみとなった室外側挟持板４に通す。
次に、フレキ管Ｆの先端に、室内側挟持板３の固定部３２，３３に本固定されたガス栓Ｇを接続する。
次に、室外側挟持板４を貫通孔Ｈに挿通させ、壁板Ｗの室外面に貫通孔Ｈを囲むように配置し、粘着テープ等で仮止めしておく。このように室外側挟持板４を室内側から室外側に移す際に、固定板部４５、補強板部４６および仮固定部４４が分離されて枠板部４１のみとなった室外側挟持板４を貫通孔Ｈに通せばよいので、作業が容易である。
【００４２】
次に、室外側挟持板４に、室内側挟持板３を室内側からボルトＢにより連結し、ボルトＢを締め付ける。室内側挟持板３および室外側挟持板４が壁板Ｗを挟持することにより、ガス栓Ｇは壁板Ｗに取り付けられる。
最後に室内側挟持板３に化粧板２を取り付ける。
【００４３】
室外側挟持板４において、固定板部４５および補強板部４６が取り外し可能であることから、ガス栓取付装置１は、壁板Ｗの施工前であるか施工後であるかの現場の状態にかかわらず、ガス栓Ｇの取り付け作業を行うことができ、施工手順の変更に対応することができる。
【００４４】
本実施形態では、補強板部４６には２つの長孔４６ａが形成されているため、固定板部４５を柱Ｐに固定する代わりに、補強板部４６を桟Ｓの上側に固定してもよい。
【００４５】
なお、本発明は、上記実施形態に限定されるものではなく、その要旨を逸脱しない範囲において各種の変形例を採用することができる。
上記実施形態では、壁板の施工前にガス栓の取り付け作業を始める場合において、室外側挟持板の固定部にガス栓を仮固定してから室内側挟持板の固定部にガス栓を本固定したが、室外側挟持板の固定部にガス栓を本固定してもよく、室外側挟持板および室内側挟持板の双方に本固定してもよい。
【００４６】
室外側挟持板の枠板部の両側縁に固定板部を形成したが、一方の側縁にのみ固定板部を形成してもよい。
室外側挟持板の枠板部の上下方向の両側縁に固定板部を形成して、固定板部を桟に固定するようにしてもよい。
固定板部および補強板部に形成された肉抜き穴、長孔および切欠き部は、室外側挟持板の枠板部の側縁に達してもよい。
【００４７】
ガス栓の取付対象は床であってもよい。
壁板の施工後にガス栓の取り付け作業を行う方法において、室外側挟持板を貫通孔に挿通させて室外側に移す際、予め１本のボルトにより室外側挟持板に室内側挟持板を緩く連結させておいてもよい。
【産業上の利用可能性】
【００４８】
本発明は、壁板等に形成された貫通孔内にガス栓が収容される埋込タイプのガスコンセント装置におけるガス栓取付装置に適用することができる。
【符号の説明】
【００４９】
Ｗ    壁板（板材、取付対象）
Ｐ    柱（支持部材）
Ｈ    貫通孔
Ｃ    ガスコンセント装置
Ｇ    ガス栓
Ｂ    ボルト（連結手段）
１    ガス栓取付装置
３    室内側挟持板
３１  枠板部（室内側枠板部）
３２，３３  固定部（本固定部）
４    室外側挟持板
４１  枠板部（室外側枠板部）
４１ａ  左右の側縁（第１側縁）
４１ｂ  下側の側縁（第２側縁）
４４  仮固定部（固定部）
４５  固定板部
４５ｃ  肉抜き穴
４５ｅ  架橋部
４６  補強板部
４６ｃ  肉抜き穴
４６ｅ  架橋部
【図１】
2018059593.tif 000003
【図２】
2018059593.tif 000004
【図３】
2018059593.tif 000005
【図４】
2018059593.tif 000006
【図５】
2018059593.tif 000007
【図６】
2018059593.tif 000008
【図７】
2018059593.tif 000009
【図８】
2018059593.tif 000010
【図９】
2018059593.tif 000011
【図１０】
2018059593.tif 000012
【図１１】
2018059593.tif 000013
【図１２】
2018059593.tif 000014
【図１３】
2018059593.tif 000015